(57)【要約】【課題】建物の揺れを効果的に抑制できる固定構造、固定器具、アンカーボルト、パッキン、及び固定構造の施工方法を提供する。【解決手段】固定構造１は、基礎２に埋設されるアンカーボルト１０と、アンカーボルト１０の基端部に取り付けられ、基礎２の上に設置された土台３に固定され、基礎２に向けて土台３を牽引する紐状体２０と、基礎２と土台３の間に設置され、アンカーボルト１０の一部が収容される貫通孔３１を備え、基礎が揺れたとき土台の揺れを抑制する弾性変形可能なパッキン３０と、を備える。紐状体２０は、アンカーボルト１０の基端部に取り付けられ、基礎２の上に設置された土台３に締め付けられる。【選択図】図２
2018115545.tif 000002
【特許請求の範囲】
【請求項１】
基礎に埋設されるアンカーボルトと、
前記アンカーボルトの基端部に取り付けられ、基礎の上に設置された土台に固定され、基礎に向けて土台を牽引する牽引手段と、
基礎と土台の間に設置され、前記アンカーボルトの一部が収容される空間を備える部材と、
を備える固定構造。
【請求項２】
前記部材は、基礎が揺れたとき土台の揺れを抑制する制震手段である、
請求項１に記載の固定構造。
【請求項３】
前記制震手段は、前記アンカーボルトが収容される貫通孔を備える弾性変形可能なパッキンである、
請求項２に記載の固定構造。
【請求項４】
前記牽引手段は、前記アンカーボルトの基端部に取り付けられ、基礎の上に設置された土台に締め付けられる紐状体である、
請求項１から３のいずれか１項に記載の固定構造。
【請求項５】
基礎に埋設されるアンカーボルトと、
前記アンカーボルトの基端部に取り付けられ、基礎の上に設置された土台に締め付けられる紐状体と、
を備える固定器具。
【請求項６】
基礎に埋設される軸部と、
前記軸部の基端部に設けられ、紐状体を取り付け可能な取付部と、
を備えるアンカーボルト。
【請求項７】
前記取付部は、紐状体を挿通可能な挿通孔を備える、
請求項６に記載のアンカーボルト。
【請求項８】
前記軸部が基礎に埋設されたとき、基礎の上に設置されたパッキンの挿通孔内に完全に収容される長さである、
請求項６又は７に記載のアンカーボルト。
【請求項９】
土台を支持する上面部と、
前記上面部と反対側に設けられ、基礎に支持される下面部と、
前記上面部から前記下面部に向かって貫通しており、アンカーボルトを収容可能な貫通孔と、
を備えるパッキン。
【請求項１０】
前記上面部に設けられ、前記上面部の一端から前記貫通孔の開口を通って前記上面部の他端へ延びており、紐状体を配置可能な溝を備える、
請求項９に記載のパッキン。
【請求項１１】
アンカーボルトを基礎に埋設する工程と、
前記アンカーボルトに紐状体を取り付ける工程と、
基礎の上に前記アンカーボルトを収容可能な貫通孔を備えるパッキンを設置する工程と、
前記パッキンの上に土台を設置する工程と、
前記紐状体を土台の周りに締め付ける工程と、
を含む固定構造の施工方法。
【発明の詳細な説明】
【技術分野】
【０００１】
本発明は、固定構造、固定器具、アンカーボルト、パッキン、及び固定構造の施工方法、特に建物の基礎と土台とを固定するための固定構造、固定器具、アンカーボルト、パッキン、及び固定構造の施工方法に関する。
【背景技術】
【０００２】
基礎に埋設されたアンカーボルトの取り付け位置がずれている場合であっても、基礎に土台を固定するために、アンカーボルトと土台とをワイヤーを介して接続する手法が知られている。例えば、特許文献１には、基礎に埋設されたアンカーボルトと、土台に固定された第１金物と、アンカーボルトの上端に固定された第２金物と、第１金物と第２金物との間に張設されたワイヤーと、を備える固定構造が開示されている。
【先行技術文献】
【特許文献】
【０００３】
【特許文献１】特開平１０−１４７９８１号公報
【発明の概要】
【発明が解決しようとする課題】
【０００４】
特許文献１の固定構造では、基礎に埋設されたアンカーボルトが土台に設けられた貫通孔を貫通しているため、土台は基礎に対して強固に固定されている。その結果、地震等による地盤の揺れが基礎及びアンカーボルトを介して土台に直接伝わるため、建物の揺れを効果的に抑制できないという問題がある。
【０００５】
本発明は、このような背景に基づいてなされたものであり、建物の揺れを効果的に抑制できる固定構造、固定器具、アンカーボルト、パッキン、及び固定構造の施工方法を提供することを目的とする。
【課題を解決するための手段】
【０００６】
上記目的を達成するために、本発明の第１の観点に係る固定構造は、
基礎に埋設されるアンカーボルトと、
前記アンカーボルトの基端部に取り付けられ、基礎の上に設置された土台に固定され、基礎に向けて土台を牽引する牽引手段と、
基礎と土台の間に設置され、前記アンカーボルトの一部が収容される空間を備える部材と、
を備える。
【０００７】
前記部材は、基礎が揺れたとき土台の揺れを抑制する制震手段であってもよい。
【０００８】
前記制震手段は、前記アンカーボルトが収容される貫通孔を備える弾性変形可能なパッキンであってもよい。
【０００９】
前記牽引手段は、前記アンカーボルトの基端部に取り付けられ、基礎の上に設置された土台に締め付けられる紐状体であってもよい。
【００１０】
上記目的を達成するために、本発明の第２の観点に係る固定器具は、
基礎に埋設されるアンカーボルトと、
前記アンカーボルトの基端部に取り付けられ、基礎の上に設置された土台に締め付けられる紐状体と、
を備える。
【００１１】
上記目的を達成するために、本発明の第３の観点に係るアンカーボルトは、
基礎に埋設される軸部と、
前記軸部の基端部に設けられ、紐状体を取り付け可能な取付部と、
を備える。
【００１２】
前記取付部は、紐状体を挿通可能な挿通孔を備えていてもよい。
【００１３】
前記軸部が基礎に埋設されたとき、基礎の上に設置されたパッキンの挿通孔内に完全に収容される長さであってもよい。
【００１４】
上記目的を達成するために、本発明の第４の観点に係るパッキンは、
土台を支持する上面部と、
前記上面部と反対側に設けられ、基礎に支持される下面部と、
前記上面部から前記下面部に向かって貫通しており、アンカーボルトを収容可能な貫通孔と、
を備える。
【００１５】
前記上面部に設けられ、前記上面部の一端から前記貫通孔の開口を通って前記上面部の他端へ延びており、紐状体を配置可能な溝を備えていてもよい。
【００１６】
上記目的を達成するために、本発明の第５の観点に係る固定構造の施工方法は、
アンカーボルトを基礎に埋設する工程と、
前記アンカーボルトに紐状体を取り付ける工程と、
基礎の上に前記アンカーボルトを収容可能な貫通孔を備えるパッキンを設置する工程と、
前記パッキンの上に土台を設置する工程と、
前記紐状体を土台の周りに締め付ける工程と、
を含む。
【発明の効果】
【００１７】
本発明によれば、牽引手段は、アンカーボルトの基端部に取り付けられ、基礎の上に設置された土台に固定されると共に、基礎と土台の間に設置される部材は、アンカーボルトの一部が収容される空間を備えている。このため、建物の揺れを効果的に抑制できる固定構造、固定器具、アンカーボルト、パッキン、及び固定構造の施工方法を提供できる。
【図面の簡単な説明】
【００１８】
【図１】本発明の実施の形態に係る固定構造を示す断面図である。
【図２】本発明の実施の形態に係る固定構造を示す斜視図である。
【図３】本発明の実施の形態に係る固定器具を示す平面図である。
【図４】本発明の実施の形態に係るパッキンを示す斜視図である。
【図５Ａ】図１の固定構造において地盤に揺れが発生した場合の様子を示す正面図である。
【図５Ｂ】図１の固定構造において地盤に揺れが発生した場合の他の様子を示す正面図である。
【図６】図１の固定構造において地盤に図５Ａ及び図５Ｂの場合と異なる別の揺れが発生した様子を示す正面図である。
【図７】本発明の実施の形態に係る固定構造の施工方法を示す図であって、（ａ）は、基礎にアンカーボルトを埋設した様子、（ｂ）は、アンカーボルトに紐状体を取り付けた様子、（ｃ）は、基礎上にパッキンを設置した様子、（ｄ）は、パッキン上に土台を設置した様子、（ｅ）は、紐状体を土台の周りに巻き付けている様子を示す図である。
【図８】本発明のアンカーボルトの変形例を示す図である。
【図９】本発明のパッキンの変形例を示す図である。
【図１０】本発明の固定構造の変形例を示す断面図である。
【発明を実施するための形態】
【００１９】
以下、本発明に係る固定構造、固定器具、アンカーボルト、パッキン、及び固定構造の施工方法の実施の形態を、図面を参照しながら詳細に説明する。各図面においては、同一又は同等の部分に同一の符号を付す。また、各実施の形態においては、基礎の長さ方向をＸ軸、基礎の幅方向をＹ軸、基礎の上下方向をＺ軸とする直交座標系を使用する。
【００２０】
図１を参照して、本発明の実施の形態に係る固定構造１について説明する。理解を容易にするために、以下、地面に設置された基礎の上に土台を含む木造の構造物が設置された場合を例にして説明する。
【００２１】
図１は、基礎２に対して土台３を固定する固定構造１を示す断面図である。固定構造１は、基礎２に埋設されたアンカーボルト１０と、アンカーボルト１０の基端部に取り付けられ、土台３の周りに締め付けられる紐状体２０と、基礎２の上に設置され、土台３を支持するパッキン３０と、を備える。なお、図１においては、理解を容易にするために、基礎２及びパッキン３０の内部に隠れているアンカーボルト１０を実線で描いている。
【００２２】
基礎２は、土台３を含む構造物の荷重を地盤に伝達し、構造物を支持する構造物である。基礎２は、耐荷重性を考慮して鉄筋コンクリートから形成されている。アンカーボルト１０は、基礎２に埋設され、基端部に紐状体２０を取り付け可能なボルトである。紐状体２０は、可撓性と弾性を有する紐状の部材である。紐状体２０は、アンカーボルト１０の基端部と土台３との間を接続し、土台３を基礎２に向けて牽引する牽引手段である。パッキン（部材）３０は、弾性変形可能な材料から形成され、地盤からの揺れが土台３に伝わらないように振動を抑制する制震手段である。また、パッキン３０は、アンカーボルト１０及び紐状体２０を内部に収容可能な空間を備えている。
【００２３】
図２は、固定構造１と基礎２及び土台３との関係を示す斜視図である。図２においては、理解を容易にするために、アンカーボルト１０と紐状体２０が基礎２、土台３、及びパッキン３０の内部に隠れている場合であっても実線で図示している。
【００２４】
図２に示すように、アンカーボルト１０は、基礎２の上面に配置されたパッキン３０の貫通孔３１内に収容されている。アンカーボルト１０は、貫通孔３１の上方に突出することなく収容されている。貫通孔３１は、パッキン３０の変形がアンカーボルト１０に妨げられることがないような大きさに形成されている。
【００２５】
紐状体２０は、幅が約１ｃｍ〜約５ｃｍの帯状の紐である。紐状体２０は、パッキン３０の上面に設けられた溝３２を通って外部に延びている。紐状体２０は、土台３を下方から取り囲み、土台３の周囲を締め付けている。紐状体２０は、紐状体２０を土台３の周囲に締め付け可能なバックル２１を備えている。バックル２１は、紐状体２０の一端に固定されており、かつ、紐状体２０の他端を受け入れ可能な複数の挿通孔を備えている。
【００２６】
紐状体２０を土台３の周囲に巻き付けた後、バックル２１に設けられた複数の挿通孔に紐状体２０の他端を通して牽引することにより、紐状体２０を土台３の周りに締め付けることができる。紐状体２０は、下向きの引っ張り力をかけても外れない位置であれば、土台３の任意の位置に締め付けることができる。紐状体２０をバックル２１を用いて土台３の周りに締め付けることにより、紐状体２０には引っ張り力が発生する。紐状体２０の引っ張り力は、パッキン３０を介して土台３を基礎２に押しつけるように作用し、基礎２と土台３を強固に固定する。
【００２７】
紐状体２０を土台３の周りに締め付けたとき、バックル２１は土台３の側面に配置することが好ましい。バックル２１が土台３の側面に配置されることにより、時間の経過と共に紐状体２０が緩んだとき、バックル２１を用いて紐状体２０を再度締め上げることが容易になる。
【００２８】
紐状体２０は、引っ張り力が加えられるため強度が必要である。また、前述のとおり、紐状体２０には土台３に巻き付け可能とするために可撓性や弾性も必要である。このため、紐状体２０は、例えば、ナイロン、ポリエステル、ポリエチレン等の材料から形成された編み物、撚り線等であることが好ましい。
【００２９】
アンカーボルト１０と紐状体２０とは、組み合わされたとき固定器具１ａを構成する。次に、図３を参照して、本発明の実施の形態に係る固定器具１ａ、アンカーボルト１０、紐状体２０について説明する。
【００３０】
図３は、固定器具１ａの全体構成を示す平面図である。固定器具１ａは、基礎２と土台３とに固定され、土台３を基礎２に向けて牽引しつつ、土台３の動きを所定の範囲内に規制するための器具である。固定器具１ａは、基礎に埋設されるアンカーボルト１０と、アンカーボルト１０の基端部に着脱自在に取り付けられる紐状体２０と、を備える。
【００３１】
アンカーボルト１０は、基礎に埋設される軸部１１と、軸部１１の基端部に設けられ、紐状体２０が着脱自在に取り付けられる取付部１２と、軸部１１の先端部に設けられ、全体としてＵ字状に形成されたアンカー部１３と、を備える。
【００３２】
軸部１１は、基礎２の内部に配置される円柱状の細長部材である。軸部１１は、基礎２に配置したときコンクリートに食い込むように、表面の一部に凹凸形状を備えていてもよい。軸部１１の凹凸形状は、アンカーボルト１０が基礎２から抜け出ることを防止する。
【００３３】
取付部１２は、紐状体２０を挿通可能な挿通孔１２ａを備えている。挿通孔１２ａは、軸部１１の基端部から延びている細長部材をリング状となるように湾曲させて形成されている。挿通孔１２ａを通過するように紐状体２０を取付部１２のリング状部材の周りに少なくとも２回、巻き付けることにより、紐状体２０は取付部１２に取り付けられている。
【００３４】
アンカー部１３は、アンカーボルト１０の基礎２からの引き抜きを防止する引き抜き防止手段である。アンカー部１３は、軸部１１の先端側から下向きに延び、アンカーボルト１０の下端部にて湾曲して上向きに延びている。アンカー部１３は、軸部１１の先端部を曲げ加工で湾曲させることにより形成されている。
【００３５】
アンカーボルト１０は、基礎２と土台３との間で引張応力、せん断応力、曲げ応力等を加えられるため強度が必要である。このため、アンカーボルト１０は、例えば、一般構造用圧延鋼、建築構造用圧延棒鋼等の金属材料から形成されている。また、基礎２を構成するコンクリートに生じたひび、割れ等を通して基礎２の内部に水分が入り込むおそれがあるため、アンカーボルト１０には腐食等を考慮してめっき等の表面処理を施してもよい。
【００３６】
次に、図４を参照して、本発明の実施の形態に係るパッキン３０について説明する。
【００３７】
図４は、基礎２と土台３の間に設置されるパッキン３０を示す。パッキン３０は、土台３に接触する上面部３０ａと、基礎２に接触する下面部３０ｂと、上面部３０ａと下面部３０ｂとに接続された側面部３０ｃと、を有する直方体形状に形成されている。パッキン３０は、建物の揺れを吸収可能な弾性材料、例えば、ゴム、エラストマー等から形成されている。
【００３８】
パッキン３０は、上面部３０ａから下面部３０ｂに向けて貫通している貫通孔３１と、上面部３０ａに形成された断面が凹状の溝３２と、を備える。溝３２は、アンカーボルト１０が埋設された基礎２と土台３との間にパッキン３０が設置されたとき、紐状体２０が収容される溝である。溝３２は、直線状に形成されており、上面部３０ａの一端から他端にわたって延びている。溝３２の深さは、紐状体２０を溝３２に沿って内部に収容したときに、紐状体２０がパッキン３０の上面より突出することなく収容される深さである。
【００３９】
貫通孔３１は、基礎２に埋設されたアンカーボルト１０を収容する貫通した孔である。貫通孔３１は、溝３２の底面の中間部から下面部３０ｂに向けて貫通している。貫通孔３１は、例えば、横断面が細長い長方形となるように形成されている。貫通孔３１は、アンカーボルト１０が内部に収容されたとき、貫通孔３１の壁面とアンカーボルト１０の表面との間にパッキン３０のせん断方向の変形を許容する程度の隙間が存在するような大きさで形成されている。
【００４０】
また、貫通孔３１は、基礎２に埋設されたアンカーボルト１０が貫通孔３１から突出することなく収容される長さに形成されている。アンカーボルト１０は、基礎２に埋設されたとき、パッキン３０の内部に完全に収容されるため、アンカーボルト１０は土台３に接触することがない。
【００４１】
パッキン３０の高さは、溝３２の深さ、貫通孔３１の長さ、予想される地盤の揺れの程度等を考慮して決定される。また、パッキン３０の上面部３０ａ、下面部３０ｂの形状及び寸法は、それぞれ土台３、基礎２の形状及び寸法を考慮して決定される。例えば、パッキン３０の高さは、約１０ｍｍ〜約３０ｍｍの範囲内であることが好ましく、約１５ｍｍ〜約２５ｍｍの範囲内であることがさらに好ましい。
【００４２】
次に、図５Ａ、図５Ｂ及び図６を参照して、本発明の実施の形態に係る固定構造１の作用について説明する。図５Ａ及び図５Ｂは、図１に示す固定構造１に地震の揺れが作用した場合の様子を示す図であり、図６は、図１に示す固定構造１に図５Ａ及び図５Ｂの場合と異なる別の揺れ方が作用した場合の様子を示す図である。
【００４３】
従来、基礎に埋設されたアンカーボルトは土台を直接固定していたため、基礎と土台の間に弾性材料からなるパッキンを配置したとしても、パッキンにより地盤からの揺れを十分に吸収できなかった。しかし、基礎２に埋設されたアンカーボルト１０は、パッキン３０及び土台３に直接固定されておらず、アンカーボルト１０とパッキン３０の貫通孔３１との間には変形を許容する隙間が存在している。また、アンカーボルト１０と土台３とは、可撓性や弾性を有する紐状体２０により牽引されつつ互いに接続されている。
【００４４】
図５Ａ及び図５Ｂに示すように揺れが発生した場合、基礎２と土台３とが可撓性や弾性を有する紐状体２０により締め付けられているため、基礎２と土台３とが互いに離れる方向に力が作用して、土台３から基礎２が浮き上がることがある。このとき、紐状体２０が引き伸ばされるため、横揺れによる横方向のエネルギーを縦方向に変換して紐状体２０で吸収することができ、結果として建物の揺れを抑制できる。なお、土台３から基礎２が浮き上がるが、その浮き上がる程度は最大で約１ｃｍ〜約２ｃｍの範囲内であり、しかも、土台３と基礎２とは複数の固定構造１で固定されているため、基礎２が土台３から外れることはない。
【００４５】
また、図６に示すように揺れが発生した場合、基礎２と土台３に挟まれたパッキン３０が横方向に変形できる。貫通孔３１に収容されたアンカーボルト１０がパッキン３０の変形を妨げないため、パッキン３０が地盤から伝わる揺れを吸収することにより建物の揺れを抑制できる。このように、固定構造１では、いかなる形態の揺れが作用したとしても揺れのエネルギーを吸収でき、結果として建物の揺れを効果的に抑制することができる。
【００４６】
また、従来、経年劣化等により土台を構成する木材が劣化した場合、土台の一部を取り外し、交換する必要があった。しかし、基礎と土台とはアンカーボルトを介して強固に固定されているため、劣化した土台の一部だけを取り外すことは困難であった。しかし、土台３を締め付けられた紐状体２０を、バックル２１を緩めるだけで簡単に取り外せるため、劣化した土台３の一部を容易に取り外し、交換することができる。
【００４７】
また、建物の自重、材料の劣化等により、アンカーボルト１０、パッキン３０、土台３等が圧縮、変形し、土台３に巻き付けられた紐状体２０が徐々に緩むことも想定される。しかし、紐状体２０が土台３の周りに巻き付けられているため、紐状体２０を締め直すことにより、紐状体２０を再び土台３の周りに強固に固定できる。
【００４８】
次に、図７を参照して、本発明の実施の形態に係る固定構造１の施工方法について説明する。
【００４９】
まず、図７（ａ）に示すように、基礎２にアンカーボルト１０を埋設する。より詳細に説明すると、基礎２を構成するコンクリートを型枠に打ち込む前に鉄筋又は内部型枠にアンカーボルト１０を固定し、その後コンクリートを型枠に打ち込むことにより、鉄筋コンクリート製の基礎２にアンカーボルト１０を固定する。
【００５０】
次に、図７（ｂ）に示すように、アンカーボルト１０の取付部１２に紐状体２０を取り付ける。取付部１２のリング状の部分に紐状体２０を少なくとも２回巻き付けることにより、取付部１２に紐状体２０を取り付ける。
【００５１】
次に、図７（ｃ）に示すように、基礎２の上面部にパッキン３０を配置する。このとき、アンカーボルト１０がパッキン３０の貫通孔３１に収容されるようにパッキン３０を配置する。また、アンカーボルト１０に取り付けられた紐状体２０をパッキン３０の上面に形成された凹状の溝３２に沿って配置する。
【００５２】
次に、図７（ｄ）に示すように、パッキン３０の上に土台３を配置する。紐状体２０はパッキン３０の上面に形成された溝３２に完全に収容されているため、土台３とパッキン３０の間にパッキン３０を挟み込むことがない。
【００５３】
最後に、図７（ｅ）に示すように、紐状体２０を土台３の周りに固定する。溝３２に沿って配置された紐状体２０を土台３に巻き付けてバックル２１で締め付けることにより、紐状体２０を土台３に固定できる。紐状体２０を土台３に締め付けたとき、紐状体２０は張力が作用している。このため、アンカーボルト１０及び紐状体２０は、基礎２と土台３とを互いに押しつけるように固定する。以上の工程により固定構造１の施工が終了する。
【００５４】
以上説明したように、実施の形態に係る固定構造１においては、パッキン３０が基礎２と土台３との間に設置されており、アンカーボルト１０及び紐状体２０が基礎２と土台３とを接続している。このため、パッキン３０が地盤から伝わる揺れを十分に吸収でき、建物の揺れを効果的に抑制できる。
【００５５】
また、実施の形態に係る固定構造１においては、紐状体２０を土台３の周りに締め付けている。このため、紐状体２０を緩めるだけで土台３を取り外せるため、土台３の交換が容易である。
【００５６】
実施の形態に係る固定器具１ａは、アンカーボルト１０と、アンカーボルト１０に取り付けられた紐状体２０を備えている。このため、アンカーボルト１０の施工精度が低い場合であっても、紐状体２０を介して基礎２と土台３とを容易に接続できる。
【００５７】
実施の形態に係るアンカーボルト１０においては、紐状体２０を着脱自在に取り付け可能な取付部１２を備えている。このため、土台３の形状、サイズに合わせて適切な紐状体２０を選択して取り付けることができる。また、紐状体２０のアンカーボルト１０からの取り外し及び交換が容易である。
【００５８】
実施の形態に係るパッキン３０においては、アンカーボルト１０を収容可能な貫通孔３１を備えている。このため、パッキン３０を基礎２の上に設置する際の孔開け作業が不要であり、固定構造１の施工における工程数を削減できる。
【００５９】
また、実施の形態に係るパッキン３０においては、上面部３０ａの一端から他端にわたって紐状体２０を収容可能な溝３２が形成されている。このため、パッキン３０と土台３の間に紐状体２０を挟み込むことにより土台３が傾いて設置されることを防止できる。
【００６０】
そして、本発明はこれに限られず、以下に述べる変形も可能である。
【００６１】
（変形例）
上記実施の形態においては、アンカーボルト１０の軸部材をリング状に湾曲させて取付部１２を形成していたが、本発明はこれに限られない。例えば、図８に示すように、軸部１１の基端部に挿通孔１２ａを有するリング部材を溶接等により固定して取付部１２としてもよい。また、アンカーボルト１０の基端部を、紐状体２０を引っ掛け可能なＪ字型に形成して取付部１２としてもよい。
【００６２】
上記実施の形態においては、アンカーボルト１０の先端部にＵ字状のアンカー部１３が形成されていたが、本発明はこれに限られない。例えば、基礎２に埋設可能であり、かつ、基端部に紐状体２０を取り付け可能であれば、アンカーボルト１０はいかなる形状であってもよい。
【００６３】
上記実施の形態においては、紐状体２０にバックル２１が設けられていたが、本発明はこれに限定されない。紐状体２０をいわゆる男結びで土台３に締め付けてもよい。また、紐状体２０を土台３に巻き付けた後、紐状体２０と土台３の間にくさびを打ち込むことで、両者をさらに強固に固定してもよい。
【００６４】
上記実施の形態においては、土台３に巻き付けるための紐状体２０として帯状の紐が用いられていたが、本発明はこれに限られない。例えば、紐状体２０としては、土台３の周りに巻き付け得る可撓性があり、かつ、土台３の周囲に縛り付けたときの張力に耐え得る強度があればよく、例えば、金属製のワイヤー、チェーン等を用いてもよい。
【００６５】
上記実施の形態においては、紐状体２０を土台３に縛り付けて固定していたが、本発明はこれに限られない。例えば、土台３の側面等に固定金具を固定しておき、当該固定金具に紐状体２０を固定することにより、紐状体２０を土台３に固定してもよい。
【００６６】
上記実施の形態においては、パッキン３０が直方体の単一の構造体から形成されていたが、これに限られない。例えば、パッキン３０は複数のゴム板を芯材で固定した積層体であってもよい。また、パッキン３０の形状も基礎２の上で土台３を支持できれば、いかなる形状であってもよく、例えば、円柱体形状であってもよい。
【００６７】
上記実施の形態においては、パッキン３０の貫通孔３１の横断面が細長い長方形であったが、本発明はこれに限られない。パッキン３０の貫通孔３１は、アンカーボルト１０との間に変形を許容する隙間、領域等の形態が形成できれば、いかなる形状であってもよく、例えば、円形、楕円形、正方形、多角形等であってもよい。
【００６８】
上記実施の形態においては、溝３２がパッキン３０の上面部３０ａに１本だけ直線状に形成されていたが、本発明はこれに限られない。パッキン３０の上面部３０ａに複数の溝３２を組み合わせて形成してもよい。例えば、図９に示すように、２本の紐状体２０を土台３に締め付け可能とするために、パッキン３０の上面部３０ａに２つの溝３２が中心部で交差するように形成してもよい。また、溝３２は直線に限られず、例えば、曲線状に形成されていてもよい。
【００６９】
上記実施の形態においては、基礎２と土台３の間に１つのパッキン３０を設置していたが、本発明はこれに限られない。例えば、図１０に示すように、基礎２と土台３の間に２つのパッキン３０Ａ、３０Ｂを重ねて設置してもよい。パッキン３０Ａは、パッキン３０と同一の構成を備えており、パッキン３０Ｂは、パッキン３０から溝３２を除いた構成を備えていてもよい。
【００７０】
上記実施の形態においては、基礎２と土台３の間に設置する制震手段としてパッキン３０を用いていたが、本発明はこれに限られない。例えば、制震手段としてオイルダンパー、スプリング、金属の塑性変形を利用した変形手段等を採用してもよい。
【００７１】
上記実施の形態においては、基礎２と土台３とを固定する木造建築物に固定構造１を適用する場合の例について説明したが、本発明はこれに限られない。本発明の固定構造１をいかなる構造の建築物に適用してもよい。例えば、建築物の基礎と、梁、桁又は水平部材とを固定するために固定構造１を用いてもよい。また、固定構造１は、建築物のみならず、例えば、免震装置、実験設備等に適用してもよい。
【００７２】
上記実施の形態は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また、特許請求の範囲に記載した発明と均等な発明も本発明に含まれる。
【符号の説明】
【００７３】
１      固定構造
１ａ    固定器具
２      基礎
３      土台
１０    アンカーボルト
１１    軸部
１２    取付部
１２ａ  挿通孔
１３    アンカー部
２０    紐状体
２１    バックル
３０，３０Ａ，３０Ｂ    パッキン
３０ａ  上面部
３０ｂ  下面部
３０ｃ  側面部
３１    貫通孔
３２    溝
【図１】
2018115545.tif 000003
【図２】
2018115545.tif 000004
【図３】
2018115545.tif 000005
【図４】
2018115545.tif 000006
【図５Ａ】
2018115545.tif 000007
【図５Ｂ】
2018115545.tif 000008
【図６】
2018115545.tif 000009
【図７】
2018115545.tif 000010
【図８】
2018115545.tif 000011
【図９】
2018115545.tif 000012
【図１０】
2018115545.tif 000013